【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
感光ドラムと、
複数の発光部を有し、前記感光ドラムの軸線に沿った長手方向に延びるとともに前記感光ドラムに対向して、前記感光ドラムを露光する露光部材と、
前記露光部材の前記長手方向における一端部と対向し、基準部を有する第１フレームと、
第１フレームに固定された基端部と、前記露光部材の一端部と係合する先端部と、を有し、前記露光部材の一端部を前記基準部へ引き寄せるように押圧する板バネと、を備えたプロセスユニット。
【請求項２】
前記露光部材の前記一端部と反対の他端部を前記長手方向に押圧する部材を備えない、請求項１に記載のプロセスユニット。
【請求項３】
前記露光部材の他端部と対向する第２フレームと、を有し、
前記第２フレームの前記露光部材の他端部と前記長手方向において対向する全ての面と前記露光部材の他端部との間には、隙間が形成された、請求項２に記載のプロセスユニット。
【請求項４】
前記第１フレームの基準部は、前記第１フレームの前記板バネの基端部が固定される部位よりも、前記長手方向において前記露光部材の中央側へ突出している、請求項１〜３のいずれかに記載のプロセスユニット。
【請求項５】
前記板バネは、前記長手方向に延び、前記先端部と前記基端部とを接続する接続部をさらに有し、前記先端部と前記接続部との間は略Ｌ字状に屈曲している、請求項４に記載のプロセスユニット。
【請求項６】
前記露光部材の一端部には、凹部が形成され、
前記板バネの先端部は、前記凹部を形成するとともに前記長手方向において前記露光部材の中央側を向く面と係合した、請求項１〜５のいずれかに記載のプロセスユニット。
【請求項７】
前記露光部材の一端部は、基部と、前記露光部材の各発光部から出射される光の光軸と平行な方向において前記基部から突出する突出部と、を有し、
前記突出部は、前記第１フレームの基準部と前記長手方向において対向する対向面と、前記対向面の反対面と、を有し、
前記板バネの先端部は、前記突出部の反対面を前記第１フレームの基準部の側へ押圧し、
前記突出部の対向面は、前記基準部と接触する、請求項１〜５のいずれかに記載のプロセスユニット。
【請求項８】
前記露光部材は、少なくともＬＥＤヘッドを有する、請求項１〜７のいずれかに記載のプロセスユニット。
【請求項９】
前記ＬＥＤヘッドは、樹脂製の外装を有する、請求項７に記載のプロセスユニット。
【請求項１０】
前記板バネは、接地されるように構成された、請求項１〜８のいずれかに記載のプロセスユニット。
【請求項１１】
装置本体と、
定着装置と、
請求項１〜９のいずれかに記載のプロセスユニットと、を備えた画像形成装置。
【請求項１２】
複数の発光部を有し、長手方向に延び、前記感光ドラムを露光するための露光部材と、
前記露光部材の前記長手方向における一端部と対向し、基準部を有する第１フレームと、
第１フレームに固定された基端部と、前記露光部材の一端部と係合する先端部と、を有し、前記露光部材の一端部を前記基準部へ引き寄せるように押圧する板バネと、を備えた露光装置。
【請求項１３】
前記露光部材の前記一端部と反対の他端部を前記長手方向に押圧する部材を備えない、請求項１２に記載の露光装置。
【請求項１４】
前記露光部材の他端部と対向する第２フレームと、を有し、
前記第２フレームの前記露光部材の他端部と前記長手方向において対向する全ての面と前記露光部材の他端部との間には、隙間が形成された、請求項１３に記載の露光装置。
【請求項１５】
前記第１フレームの基準部は、前記第１フレームの前記板バネの基端部が固定される部位よりも、前記長手方向において前記露光部材の中央側へ突出している、請求項１２〜１４のいずれかに記載の露光装置。
【請求項１６】
前記板バネは、前記長手方向に延び、前記先端部と前記基端部とを接続する接続部をさらに有し、前記先端部と前記接続部との間は略Ｌ字状に屈曲している、請求項１５に記載の露光装置。
【請求項１７】
前記露光部材の一端部には、凹部が形成され、
前記板バネの先端部は、前記凹部を形成するとともに前記長手方向において前記露光部材の中央側を向く面と係合した、請求項１２〜１６のいずれかに記載の露光装置。
【請求項１８】
前記露光部材の一端部は、基部と、前記露光部材の各発光部から出射される光の光軸と平行な方向において前記基部から突出する突出部と、を有し、
前記突出部は、前記第１フレームの基準部と前記長手方向において対向する対向面と、前記対向面の反対面と、を有し、
前記板バネの先端部は、前記突出部の反対面を前記第１フレームの基準部の側へ押圧し、
前記突出部の対向面は、前記基準部と接触する、請求項１２〜１６のいずれかに記載の
露光装置。
【請求項１９】
前記露光部材は、少なくともＬＥＤヘッドを有する、請求項１２〜１８のいずれかに記載の露光装置。
【請求項２０】
前記ＬＥＤヘッドは、樹脂製の外装を有する、請求項１９に記載の露光装置。
【請求項２１】
前記板バネは、接地されるように構成された、請求項１２〜２０のいずれかに記載の露光装置。
【請求項２２】
装置本体と、
定着装置と、
前記感光ドラムと、
請求項１２〜２１のいずれかに記載の露光装置と、を備えた画像形成装置。
【請求項２３】
一端と他端とを有し、回転する像保持体の回転軸方向に沿った第１の方向に複数の発光素子が配列され、当該像保持体を露光する露光手段と、  前記露光手段の前記一端側の端部を保持する一端側保持部と、前記一端側保持部に形成され、前記露光手段の前記一端側の端部を接触させることで、当該露光手段の第１の方向における位置を決めるための基準となる第１基準部と、前記露光手段を前記第１の方向において移動可能に、当該露光手段の前記他端側の端部を保持する他端側保持部と、前記露光手段の前記一端側の端部を前記第１基準部に向けて押し付ける力を、当該露光手段の当該一端側にて付与する付与部と、を備え、  前記露光手段は、前記一端側に、前記付与部からの押し付け力を受ける受け部と、前記第１基準部に接触する接触部とを有し、当該接触部は、当該受け部が受けた押し付け力により当該第１基準部に押し付けられるとともに、前記他端側では前記第１の方向への力を受けないことを特徴とする露光装置。
【請求項２４】
前記第１基準部は面であり、前記露光手段の前記一端側の前記接触部には当該第１基準部における面に接触させるための接触面が形成され、前記付与部は、前記露光手段の前記接触面を、前記第１基準部の前記面に押し付けて、当該第１基準部の面と当該接触面との接触を保つことを特徴とする請求項２３に記載の露光装置。
【請求項２５】
前記付与部は、前記露光手段のアース接続として機能することを特徴とする請求項２３又は２４に記載の露光装置。
【請求項２６】
回転する像保持体と、前記像保持体を帯電する帯電装置と、一端と他端とを有し、前記像保持体の回転軸方向に沿った第１の方向に複数の発光素子が配列され、当該像保持体を露光して当該像保持体に静電潜像を形成する露光手段と、前記露光手段の前記一端側の端部を保持する一端側保持部と、前記一端側保持部に形成され、前記露光手段の前記一端側の端部を接触させることで、当該露光手段の第１の方向における位置を決めるための基準となる第１基準部と、前記露光手段を前記第１の方向において移動可能に、当該露光手段の前記他端側の端部を保持する他端側保持部と、前記露光手段の前記一端側の端部を前記第１基準部に向けて押し付ける力を、当該露光手段の当該一端側にて付与する付与部と、  前記像保持体に形成された前記静電潜像を現像して画像を形成する現像装置と、を備え、  前記露光手段は、前記一端側に、前記付与部からの押し付け力を受ける受け部と、前記第１基準部に接触する接触部とを有し、当該接触部は、当該受け部が受けた押し付け力により当該第１基準部に押し付けられるとともに、前記他端側では前記第１の方向への力を受けないことを特徴とする画像形成装置。
【請求項２７】
前記一端側保持部には、前記露光手段の前記一端側の端部を接触させることで、当該露光手段の光照射方向に沿った第２の方向における当該露光手段の位置を決めるための基準となる第２基準部と、前記第１の方向と前記第２の方向とに直交する方向に沿った第３の方向における当該露光手段の位置を決める第３基準部とがさらに形成され、  前記付与部は、前記露光手段の前記一端側の端部を、前記第１基準部、前記第２基準部及び前記第３基準部に向けてそれぞれ押し付けることを特徴とする請求項２６に記載の画像形成装置。
【請求項２８】
前記付与部による前記第１基準部に前記露光手段の前記一端側を押し付ける力は、当該付与部により当該第１基準部に当該露光手段の当該一端側を押し付けた後、当該露光手段の当該一端側の端部を前記第３基準部に押し付ける際に前記第３の方向へ移動させることが可能な大きさに設定されていることを特徴とする請求項２７に記載の画像形成装置。
【請求項２９】
前記付与部による前記第１基準部及び前記第３基準部に前記露光手段の前記一端側を押し付ける力は、当該付与部により当該第１基準部及び当該第３基準部に当該露光手段の当該一端側を押し付けた後、当該露光手段の当該一端側の端部を前記第２基準部に押し付ける際に前記第２の方向へ移動させることが可能な大きさに設定されていることを特徴とする請求項２８に記載の画像形成装置。  
【請求項３０】
前記付与部は、前記露光手段の前記一端側の端部に、前記第１の方向に向けた力を付与する第１付与部材と、前記第２の方向及び前記第３の方向に向けた力を付与する第２付与部材とを備え、  前記第２付与部材と前記露光手段の前記一端側の端部との間に前記第１付与部材が挟み込まれ、当該第２付与部材は、前記第１付与部材と当該露光手段の当該一端側の端部とを、前記第２基準部側に向けて押し付けることを特徴とする請求項２７に記載の画像形成装置。
【請求項３１】
前記第２付与部材には凸部が形成され、前記第２付与部材は、前記第１付与部材に当該凸部を接触させることを特徴とする請求項３０に記載の画像形成装置。
【請求項３２】
前記第１付与部材には前記第１の方向に長い凹部が形成され、当該第１付与部材の凹部に、前記第２付与部材の前記凸部が嵌められることを特徴とする請求項３１に記載の画像形成装置。
【手続補正２】
【補正対象書類名】明細書
【補正対象項目名】０００６
【補正方法】変更
【補正の内容】
【０００６】
前記課題を解決する第１の発明は、感光ドラムと、複数の発光部を有し、前記感光ドラムの軸線に沿った長手方向に延びるとともに前記感光ドラムに対向して、前記感光ドラムを露光する露光部材と、前記露光部材の前記長手方向における一端部と対向し、基準部を有する第１フレームと、第１フレームに固定された基端部と、前記露光部材の一端部と係合する先端部と、を有し、前記露光部材の一端部を前記基準部へ押圧する板バネと、を備えたことを特徴とする。
前記課題を解決する第２の発明は、複数の発光部を有し、長手方向に延び、前記感光ドラムを露光するための露光部材と、前記露光部材の前記長手方向における一端部と対向し、基準部を有する第１フレームと、第１フレームに固定された基端部と、前記露光部材の一端部と係合する先端部と、を有し、前記露光部材の一端部を前記基準部へ引き寄せるように押圧する板バネと、を備えたことを特徴とする。
前記課題を解決する第３の発明は、端と他端とを有し、回転する像保持体の回転軸方向に沿った第１の方向に複数の発光素子が配列され、当該像保持体を露光する露光手段と、  前記露光手段の前記一端側の端部を保持する一端側保持部と、  前記一端側保持部に形成され、前記露光手段の前記一端側の端部を接触させることで、当該露光手段の第１の方向における位置を決めるための基準となる第１基準部と、  前記露光手段を前記第１の方向において移動可能に、当該露光手段の前記他端側の端部を保持する他端側保持部と、  前記露光手段の前記一端側の端部を前記第１基準部に向けて押し付ける力を、当該露光手段の当該一端側にて付与する付与部と、を備え、  前記露光手段は、前記一端側に、前記付与部からの押し付け力を受ける受け部と、前記第１基準部に接触する接触部とを有し、当該接触部は、当該受け部が受けた押し付け力により当該第１基準部に押し付けられるとともに、前記他端側では前記第１の方向への力を受けないことを特徴とする。
前記課題を解決する第４の発明は、回転する像保持体と、前記像保持体を帯電する帯電装置と、一端と他端とを有し、前記像保持体の回転軸方向に沿った第１の方向に複数の発光素子が配列され、当該像保持体を露光して当該像保持体に静電潜像を形成する露光手段と、前記露光手段の前記一端側の端部を保持する一端側保持部と、  前記一端側保持部に形成され、前記露光手段の前記一端側の端部を接触させることで、当該露光手段の第１の方向における位置を決めるための基準となる第１基準部と、  前記露光手段を前記第１の方向において移動可能に、当該露光手段の前記他端側の端部を保持する他端側保持部と、  前記露光手段の前記一端側の端部を前記第１基準部に向けて押し付ける力を、当該露光手段の当該一端側にて付与する付与部と、  前記像保持体に形成された前記静電潜像を現像して画像を形成する現像装置と、を備え、  前記露光手段は、前記一端側に、前記付与部からの押し付け力を受ける受け部と、前記第１基準部に接触する接触部とを有し、当該接触部は、当該受け部が受けた押し付け力により当該第１基準部に押し付けられるとともに、前記他端側では前記第１の方向への力を受けないことを特徴とする。
【手続補正３】
【補正対象書類名】明細書
【補正対象項目名】０００７
【補正方法】変更
【補正の内容】
【０００７】
上記第１から第２の発明によれば、露光部材を長手方向において位置決めすることができる。
【手続補正４】
【補正対象書類名】明細書
【補正対象項目名】０００８
【補正方法】変更
【補正の内容】
【０００８】
上記第１および第２の発明によれば、板バネによって露光部材の一端部が第１フレーム
の基準部に押圧されるので、第１フレームに対して露光部材を長手方向において位置決めすることができる。
【手続補正５】
【補正対象書類名】明細書
【補正対象項目名】発明の名称
【補正方法】変更
【補正の内容】
【発明の名称】プロセスユニット、露光装置及び画像形成装置